(57)【要約】【課題】関心のある１つまたは複数の領域にある固定型周囲状況検出器から無線でダウンロードされた情報を提供するシステムを提供すること。【解決手段】本システムは、検知された周囲状況に関する情報を検出器が送信するサーバを含む。各コード要素がそれぞれの検出器と関連付けられた複数のコード要素の構成要素は、無線装置によってスキャン可能であり、次いで無線装置はサーバと通信することができる。続いてサーバは、使用者が見るために、それぞれの検出器と関連付けられ予め記憶された情報を無線装置にダウンロードすることができる。【選択図】図１
2015097384.tif 000002
【特許請求の範囲】
【請求項１】
固有のコード識別子を複数の検出器のそれぞれと関連付けるステップと、
対応する検出器から離れたそれぞれの場所に各識別子の表示を配置するステップと、
無線装置によって選択された検出器の表示を検知するステップと、
検知された表示によってそれぞれの検出器に関する情報を得るステップと、を含む方法。
【請求項２】
前記検知器のうちの少なくともいくつかから共通の位置へデータを送信するステップを含む、請求項１に記載の方法。
【請求項３】
データは、有線媒体および無線媒体のうちの少なくとも１つによって送信され、
それぞれの場所に各識別子の表示として多次元バーコードを配置するステップを含む、請求項２に記載の方法。
【請求項４】
配置するステップは、それぞれの場所に、コード化多次元表示を設けるステップを含む、請求項１に記載の方法。
【請求項５】
前記コード化表示を配置するステップは、即時反応型のコード化表示を形成するステップを含む、請求項４に記載の方法。
【請求項６】
送信するステップは、前記複数の検出器からのデータ用の共通記憶装置を提供するステップを含む、請求項２に記載の方法。
【請求項７】
それぞれのコード識別子をそれぞれの検出器からのデータと関連付けるステップを含む、請求項６に記載の方法。
【請求項８】
前記コード化表示を配置するステップは、即時反応型のコード化表示またはバーコード型表示のうちの１つを表示するステップを含む、請求項７に記載の方法。
【請求項９】
検出器用のコード化表示を検知するステップと、
前記共通の位置から即時データを送信するステップと、を含む請求項８に記載の方法。
【請求項１０】
要求する無線装置にそれぞれのデータをダウンロードするステップを含む、請求項９に記載の方法。
【請求項１１】
前記無線装置は、スマートフォン、タブレット型コンピュータ、または無線コンピュータのうちの少なくとも１つを備える、請求項１０に記載の方法。
【請求項１２】
少なくとも１つのサーバと、
領域を監視する複数の検出器から受信したデータをサーバに転送する通信回路機構であって、それぞれの各検出器は画像コードと関連付けられる、通信回路機構と、
１つまたは複数の無線源からデータ要求を受信するためのさらなる回路機構であって、各データ要求がそれぞれの検出器および検出器を特定する画像コードと関連付けられ、当該コードおよび接続された検出器と関連付けられたデータを要求元に送信することによってそのような要求に応答するためのさらなる回路機構と、を備える装置。
【請求項１３】
前記画像コードは、多次元コードまたはバーコードのうちの１つを含む、請求項１２に記載の装置。
【請求項１４】
前記サーバは、コンピュータネットワークを介して前記検出器に結合される、請求項１２に記載の装置。
【請求項１５】
前記検出器は、有線または無線媒体のうちの少なくとも１つを介して前記サーバに結合される、請求項１４に記載の装置。
【請求項１６】
前記サーバは、各検出器用の表示ＱＲコードの識別子を記憶すると共に、前記検出器用のデータを、記憶されたコードと関連付ける、請求項１５に記載の装置。
【請求項１７】
複数の多次元画像コードが監視されている領域に割り当てられ、各コードは、前記領域の少なくとも１つの検出器と関連付けられる、請求項１６に記載の装置。
【請求項１８】
各コードは、それぞれの検出器と関連付けられた、ユニフォーム・リソース・ロケータを含む、請求項１７に記載の装置。
【請求項１９】
前記コードは、ＱＲ型コードまたはバーコードのうちの１つを含む、請求項１２に記載の装置。
【請求項２０】
関心のある１つまたは複数の領域の固定型周囲状況検出器から無線でダウンロードされた情報を供給すると共に、前記検出器が検知された周囲状況に関する情報を送信するサーバを備えたシステムであって、複数のコード要素を含み、各コード要素はそれぞれの検出器と関連付けられ、前記コード要素は無線装置によってスキャン可能であり、前記無線装置はスキャン後に前記サーバと通信することができ、続いて前記サーバは、使用者が見るために、それぞれの前記検出器と関連付けられ予め記憶された情報を無線装置にダウンロードすることができる、システム。
【発明の詳細な説明】
【技術分野】
【０００１】
[0001]本出願は、無線スマートフォンを使用して検出器からの情報を提供する監視システムおよび方法に関する。より詳細には、本出願は、個人が無線スマートフォンを使用して、検出器から離れた位置から、固定型検出器（ｆｉｘｅｄ  ｄｅｔｅｃｔｏｒ）からの出力を無線で監視することを可能にするシステムおよび方法に関する。
【背景技術】
【０００２】
[0002]固定型および携帯型ガス検出器の両方が知られており、関心のある領域における様々な状況を監視するのに有用である。固定型検出器は、そのような領域について、非常に費用効果があり、維持管理が比較的少なくて済む監視を提供する。残念ながら、固定型検出器は、監視されている領域に入ってくるまたは通り抜ける個人に対して、携帯型検出器であれば提供することができるようには、監視されている状況に関する即時フィードバックを提供しないことが多い。
【発明の概要】
【発明が解決しようとする課題】
【０００３】
[0003]公知の種類の携帯型検出器は、関心のある領域において個人で携帯または着用することができる。しかしながら、携帯型検出器は固定型検出器よりも高価である傾向があり、異なる種類の検出器および電池維持管理プログラムを必要とする。
【課題を解決するための手段】
【０００４】
一態様において、本出願の実施形態は、個人のスマートフォンを介して、対象となる１つまたは複数の領域に固定された検出器から無線で情報を提供する。すべてのこのような検出器からの情報は、１つまたは複数のサーバに無線で結合することができる。各検出器は、ＱＲ型スキャン可能コードと関連付けられる。
【０００５】
特定の検出器から離れた位置に配置され得る個人であって、その対象となる検出器に関する情報を求める個人は、ＱＲコード（登録商標）をスキャンすることができ、１つまたは複数のサーバにその要求を転送することができる。スマートフォンから受け取った問い合わせは、それぞれの検出器から受信され、サーバに予め記憶された情報に接続することができる。そして、当該情報は、個人の端末にダウンロードすることができる。
【０００６】
ガスもしくは煙レベル、位置、アラーム状態または欠陥等の情報はそれぞれのサーバに記憶することができる。すべてのこのような情報は、即時にアップデートすることができる。本明細書に記載されていること以外の、検知器の種類も厳密な詳細も本出願の限定ではないと理解されるであろう。
【０００７】
検出器は、有線または無線媒体を介して、サーバと順番に通信することができる共通制御パネルに結合することができる。あるいは、検出器は、インターネット接続可能であると共に、制御パネルのほかにサーバと直接通信することができる。
【図面の簡単な説明】
【０００８】
【図１】[0004]本明細書によるシステムのブロック図である。
【図２】[0005]図１のシステムの追加的態様の図である。
【図３】[0006]図１のシステムの例示的処理を図示するフロー図である。
【発明を実施するための形態】
【０００９】
[0007]開示される実施形態は多くの異なる形式をとることができるが、図面にはそのうちの特定の実施形態が示され、本明細書で詳細に記載されている。本開示は、本発明の原理の例示に過ぎず、本発明を実施する最良の形態と見なされるべきであり、本出願または特許請求の範囲を例示された特定の実施形態に限定することを意図するものではないということを理解されたい。
【００１０】
[0008]一態様において、本出願の実施形態は、個人のスマートフォンを介して、対象となる１つまたは複数の領域に固定された検出器から無線で情報を提供する。すべてのこのような検出器からの情報は、１つまたは複数のサーバに無線で結合することができる。各検出器は、ＱＲ型スキャン可能コードと関連付けられる。
【００１１】
[0009]特定の検出器から離れた位置に配置され得る個人であって、その対象となる検出器に関する情報を求める個人は、ＱＲコード（登録商標）をスキャンすることができ、１つまたは複数のサーバにその要求を転送することができる。スマートフォンから受け取った問い合わせは、それぞれの検出器から受信され、サーバに予め記憶された情報に接続することができる。そして、当該情報は、個人の端末にダウンロードすることができる。
【００１２】
[0010]ガスもしくは煙レベル、位置、アラーム状態または欠陥等の情報はそれぞれのサーバに記憶することができる。すべてのこのような情報は、即時にアップデートすることができる。本明細書に記載されていること以外の、検知器の種類も厳密な詳細も本出願の限定ではないと理解されるであろう。
【００１３】
[0011]検出器は、有線または無線媒体を介して、サーバと順番に通信することができる共通制御パネルに結合することができる。あるいは、検出器は、インターネット接続可能であると共に、制御パネルのほかにサーバと直接通信することができる。
【００１４】
[0012]図１は、本明細書によるシステム１０を図示する。システム１０は、ガス、煙、温度または湿度の検出器であり得る複数の検出器１２を含み、検出器は、ゾーン１、ゾーン２・・・ゾーンｎ等、関心のある複数のゾーンのそれぞれに取り付けることができる。
【００１５】
[0013]複数の検出器１２の構成要素は、有線または無線媒体１２−１を介して、サーバ１４等の複数のサーバの構成要素と通信することができる。概して１８で図示された複数のＱＲ型コード要素（ｃｏｄｅ  ｅｌｅｍｅｎｔ）は、複数の検出器１２の構成要素と関連付けることができる。コード要素１８は、それぞれ、ＵＲＬおよび／または複数の検出器１２のそれぞれの構成要素に関連する関連情報を含むことができる。
【００１６】
[0014]スマートフォンまたはタブレット型コンピュータ等の無線装置を有する使用者Ｕ１は、ダウンロードされたアプリケーションを実行することができると共に、コード要素１８のうちの１つをそれぞれ読み取ることができる。使用者の問い合わせは、例えば、スマートフォンを介して、それぞれのサーバ１４に送信することができる。それぞれの検出器１２ｉに関する情報は、使用者Ｕ１がそれぞれのゾーンに入る前に、サーバ１４から、それぞれのゾーンにおける状況へのアクセスを提供する使用者Ｕ１のスマートフォンまたはタブレット型コンピュータにダウンロードすることができる。
【００１７】
[0015]図２は、システム１０の一部、検出器１２、およびコード要素１８の表示がゾーン１、ゾーン２およびゾーン３等の複数のゾーンに割り当てられる例示的構成を図示する。使用者の経路が図示され、使用者Ｕ１は、各ゾーンに入る前に、それぞれのゾーンに関連付けられた１８ｉ等の予め配置されたコード要素にアクセスすることができる。これにより、使用者Ｕ１は、サーバ１４からダウンロードされた情報から、各ゾーンに入る前にそれぞれのゾーンにおける様々な状況、例えば煙またはガスレベル、を安全に判定することができる。
【００１８】
[0016]図３は、関連付けられたプロセス１００を図示する。複数の検出器は、それぞれのゾーンにおけるガスまたは煙等の局所的な情報を測定する（１０２）ことができる。状態情報は、１０４に示すように、サーバ１４等の関連付けられたサーバに送信され、記憶することができる。
【００１９】
[0017]記憶されたデータは、１０６に示すように、それぞれのコード要素と関連付けることができる。使用者Ｕ１等の使用者は、スマートフォンまたはタブレット型コンピュータを使用して、１０８に示すように、関連付けられたコード要素をスキャンし、それぞれのゾーンに入る前に、１１０に示すように、ダウンロードされた情報を検討することができる。
【００２０】
[0018]要約すると、スマートフォンまたはタブレット型コンピュータを、ガスまたは煙の携帯型検出器の代わりに使用して、領域における状況を安全に評価することができる。この点に関して、固定型検出器は、関心のある領域において取り付けることができる。様々な検出器から検知された情報は、定期的に１つまたは複数のウェブサーバに転送することができる。
【００２１】
[0019]煙またはガスレベルは、好ましくは即時に更新されるであろう。ＱＲコード（登録商標）は、ウェブリンクを追跡する迅速かつ容易な手段として使用することができる。固有のコードが、各部屋または関心のある特定の領域用に使用可能である。使用者は、関心のある領域に近接してあるそれぞれのＱＲコード（登録商標）の物理的コピーを添付することができる。
【００２２】
[0020]使用者は、危険なエリアに入る前に、アプリケーションを実行してサーバにログインする。それぞれのＱＲコード（登録商標）を使用して、使用者は、エリアまたはゾーンに入る前に、各エリアのガスまたは煙濃度の情報を取得することができる。
【００２３】
[0021]例示的実施形態はＱＲコード（登録商標）を使用して記載されているが、本願の特許請求の範囲はそれに限定されないことを当業者は理解するであろう。これまで用いられているバーコード、および、限定はしないが他の種類の画像コード（ｇｒａｐｈｉｃａｌ  ｃｏｄｅ）を含む、他の種類のコードが本願の精神および範囲の範囲内にある。
【００２４】
[0022]前述から、多数の変形および改変が本願の精神および範囲から逸脱することなく実施し得ることが認められるであろう。本明細書に図示された特定の装置に関しての限定が意図されないこと、または推論されるべきではないことが理解されるべきである。当然ながら、添付の特許請求の範囲には、特許請求の範囲内にあるようなすべての改変が含まれることが意図されている。
【００２５】
[0023]さらに、図面に描写される論理の流れは、所望の結果を達成するために、示される特定の順序または一連の順序を必要としない。他のステップを設けることができ、または記載したフローからステップを除去してもよいし、他の構成要素を、記載された実施形態に追加してもよいし、または記載された実施形態から取り除いてもよい。
【符号の説明】
【００２６】
１０  システム
１２  検出器
１２−１  有線または無線媒体
１４  サーバ
１８  ＱＲ型コード要素
１００  プロセス
Ｕ１  使用者
【図１】
2015097384.tif 000003
【図２】
2015097384.tif 000004
【図３】
2015097384.tif 000005
【外国語明細書】
2015097384000001.pdf